(57)【要約】      （修正有）【課題】  部品点数が少なく簡単な構造で電子機器ユニットの抜き差しが可能であり、しかも必要時以外は電子機器ユニットが抜け出さず信頼性の高い引出し形電子機器を提供する。【解決手段】  この引出し形電子機器は、２個の引出しレバー２０を電子機器ユニット４の前面部に回動可能に取り付けており、電子機器ユニット４をケース２内に差し込みかつケース２に前面カバー１０を被せた状態では、各引出しレバー２０の把持部２２の先端および当接端２６が前面カバー１０に近接し、それによって電子機器ユニット４の抜け出しが阻止される状態になり、前面カバー１０を取り外した状態では、各引出しレバー２０を開方向に回動させて、その当接端２６をケース２の縁３に当接させてそこを支点にして電子機器ユニット４を引き出すと共に、把持部２２を掴んで電子機器ユニット４を更に引き出すことができる状態になる構造を有している。【選択図】  図４
2006165247.tif 000002
【特許請求の範囲】
【請求項１】
ケースと、当該ケース内に抜き差し可能に収納される電子機器ユニットと、前記ケースの前面に被せて固定される前面カバーとを備える引出し形電子機器において、
把持部と、それから離れた位置に設けられた軸穴と、把持部および軸穴から離れた位置に設けられた当接端とをそれぞれ有する少なくとも２個の引出しレバーを、前記電子機器ユニットの前面の端部の少なくとも２箇所に設けられた軸を各引出しレバーの軸穴にそれぞれ通すことによって、各引出しレバーの把持部がケース外側に移動する開方向およびその反対の閉方向に回動可能に取り付けており、前記電子機器ユニットをケース内の所定位置に差し込みかつケースに前面カバーを被せて固定した状態では、各引出しレバーの把持部の先端および当接端の少なくとも一方が前面カバーに近接し、それによって電子機器ユニットの抜け出しが阻止される状態になり、前面カバーを取り外した状態では、各引出しレバーをその把持部を用いて開方向に回動させて、各引出しレバーの当接端をケースの縁に当接させてその当接部を支点にして電子機器ユニットを所定距離引き出すと共に、各引出しレバーの把持部を掴んで電子機器ユニットを更に引き出すことができる状態になる構造を有していることを特徴とする引出し形電子機器。
【発明の詳細な説明】
【技術分野】
【０００１】
この発明は、例えば保護継電器、計測器、制御器等の電子機器であって、その本体を成す電子機器ユニットをケースに抜き差し可能な引出し形電子機器に関し、より具体的には、電子機器ユニットの抜き差しに関する機構の改良に関する。
【背景技術】
【０００２】
この種の引出し形電子機器の従来例を図６に示す。この引出し形電子機器は、箱状のケース２と、このケース２内に抜き差し可能に収納される電子機器ユニット４と、ケース２の前面に被せて固定される前面カバー１０とを備えている。
【０００３】
この例の引出し形電子機器は、具体的には、引出し形保護継電器であり、電子機器ユニット４は保護継電器ユニットである。後述する本発明の実施形態の引出し形電子機器も同様である。
【０００４】
ケース２の後面部と、電子機器ユニット４の後面部とには、電子機器ユニット４をケース２内の所定位置に差し込んだときに互いに自動的に結合される雄雌のコネクタ１６、１８（コネクタ１８は図３参照）がそれぞれ設けられている。
【０００５】
前面カバー１０は、防塵等の内部保護用のものであり、この例ではガラス、プラスチック等から成る透明板１２を有している。この前面カバー１０は、ケース２の前面に被せて固定ねじ１４で固定される。
【０００６】
電子機器ユニット４の前面部には、二つ（一方のみ図に表れている）の引出し用ハンドル６が設けられており、それらを掴んで電子機器ユニット４をケース２から引き出すことができる。更に電子機器ユニット４の前面部には、電子機器ユニット４をケース２内に差し込んだ状態で固定する固定ボタン８が設けられている。この固定ボタン８は、ケース２に設けられた固定ボタン受け金具（図に表れていない）と係合して電子機器ユニット４を固定する。この固定ボタン８は、押し込んだときにロックがかかるものであり、ナイラッチとも呼ばれている。固定ボタン８の代わりに、特殊なねじを用いて電子機器ユニット４をケース２に固定する場合もある。
【０００７】
ケースに対する電子機器ユニットの抜き差しに関する機構の他の例として、特許文献１には、把持部を有するレバーとその相手側のレバーホルダーとに係合爪をそれぞれ設けておき、両係合爪を係合させてレバーを係止し、その係合の解除を操作ボタンで行う機構が記載されている。
【０００８】
また、特許文献２には、電子機器ユニットではなく、電子機器の一部を成す単なる基板を、カードプラと呼ばれるレバーを用いて、ラック等のケースに抜き差しする機構が記載されている。
【０００９】
【特許文献１】特開２００４−５４９６７号公報（段落００４７−００５９、図７、図８）
【特許文献２】特開２０００−１３８４８０号公報（段落０００２−０００３、図９、図１０）
【発明の開示】
【発明が解決しようとする課題】
【００１０】
上記図６に示した引出し形電子機器は、電子機器ユニット４の引き出し用に二つの引出し用ハンドル６を用い、しかも電子機器ユニット４の固定用に固定ボタン８（または特殊なねじ）を用いた構造であるので、部品点数が多く、従ってそのぶん構造も複雑であるという課題がある。
【００１１】
上記特許文献１に記載されている機構も、電子機器ユニットの抜き差し用のレバーの他に、当該レバー係合用の一対の係合爪およびレバーのロック解除用の操作ボタンを用いた構造であるので、部品点数が多く、従ってそのぶん構造も複雑であるという課題がある。  
【００１２】
上記特許文献２に記載されている機構は、カードプラを単なる基板の抜き差しに使用するものであり、そのような機構を、単なる基板よりも一般的に重量が遙かに大きい電子機器ユニットの抜き差しに単純に適用しても、振動等によって電子機器ユニットの重さでカードプラの係合が簡単に外れて電子機器ユニットがケースから抜け出す可能性が高く、信頼性に欠けるという課題がある。
【００１３】
そこでこの発明は、部品点数が少なく簡単な構造で電子機器ユニットのケースに対する抜き差しが可能であり、しかも必要時以外は電子機器ユニットがケースから抜け出さず信頼性の高い引出し形電子機器を提供することを主たる目的としている。
【課題を解決するための手段】
【００１４】
この発明に係る引出し形電子機器は、把持部と、それから離れた位置に設けられた軸穴と、把持部および軸穴から離れた位置に設けられた当接端とをそれぞれ有する少なくとも２個の引出しレバーを、前記電子機器ユニットの前面の端部の少なくとも２箇所に設けられた軸を各引出しレバーの軸穴にそれぞれ通すことによって、各引出しレバーの把持部がケース外側に移動する開方向およびその反対の閉方向に回動可能に取り付けており、前記電子機器ユニットをケース内の所定位置に差し込みかつケースに前面カバーを被せて固定した状態では、各引出しレバーの把持部の先端および当接端の少なくとも一方が前面カバーに近接し、それによって電子機器ユニットの抜け出しが阻止される状態になり、前面カバーを取り外した状態では、各引出しレバーをその把持部を用いて開方向に回動させて、各引出しレバーの当接端をケースの縁に当接させてその当接部を支点にして電子機器ユニットを所定距離引き出すと共に、各引出しレバーの把持部を掴んで電子機器ユニットを更に引き出すことができる状態になる構造を有していることを特徴としている。
【００１５】
上記引出し形電子機器によれば、電子機器ユニットをケース内の所定位置に差し込み、かつケースに前面カバーを被せて固定した状態では、各引出しレバーの把持部の先端および当接端の少なくとも一方が前面カバーに近接し、それによって電子機器ユニットの抜け出しが阻止される状態になるので、振動等が加わっても、電子機器ユニットがケースから抜け出すことはない。従って、従来の固定ボタンのような電子機器ユニットの抜け出し防止用の部品を特に設けなくても、信頼性が高い。
【００１６】
一方、前面カバーを取り外した状態では、各引出しレバーを開方向に回動させることによって、各引出しレバーの当接端をケースの縁に当接させてその当接部を支点にして梃子の作用で電子機器ユニットを所定距離引き出すことができると共に、各引出しレバーの把持部を掴んで電子機器ユニットを更に引き出すことができるので、従来の引出しハンドルのようなものを特に設けなくても、電子機器ユニットを容易に引き出すことができる。
【００１７】
即ち、各引出しレバーは、（１）電子機器ユニットを引き出すときに梃子の作用をし、（２）かつ取っ手の作用もし、（３）更にケースに前面カバーを被せて固定した状態では電子機器ユニットの抜け出し防止の作用をし、各引出しレバーはこれら三つの作用を奏する。
【発明の効果】
【００１８】
以上のようにこの発明によれば、各引出しレバーを、電子機器ユニットの引き出し用および電子機器ユニットの抜け出し防止用に兼用していて、各引出しレバーは前記三つの作用を奏するので、部品点数が少なく簡単な構造で電子機器ユニットのケースに対する抜き差しが可能であり、かつその操作も容易である。
【００１９】
しかも、必要時以外は、即ちケースに前面カバーを被せて固定した通常使用状態では、電子機器ユニットがケースから抜け出すことはないので、信頼性も高い。
【発明を実施するための最良の形態】
【００２０】
図１は、この発明に係る引出し形電子機器の一実施形態を示す外観図である。図２は、図１に示す引出し形電子機器の前面カバーを取り外した状態を示す図である。図３は、図１に示す引出し形電子機器の前面カバーを取り外し、かつ電子機器ユニットを抜き出した状態を示す図である。図６に示した従来例と同一または相当する部分には同一符号を付し、以下においては当該従来例との相違点を主に説明する。
【００２１】
この引出し形電子機器は、図４、図５も参照して、把持部２２と、それから離れた位置に設けられた軸穴２４と、把持部２２および軸穴２４から離れた位置に設けられた当接端２６とをそれぞれ有する２個の引出しレバー２０を、前記電子機器ユニット４の前面の上下２箇所の端部に、それぞれ回動可能に取り付けている。各引出しレバー２０は、この例ではより具体的には、細長い把持部２２を有すると共にその反対側端が二つに分岐していて、その内の一方端付近に軸穴２４を有し他方端が突起状の当接端２６となっていて、Ｙ形に近い形状をしている。このような引出しレバー２０としては、例えば、カードプラと呼ばれている市販品を用いても良い。
【００２２】
そして、この例では図４、図５に示すように、電子機器ユニット４の前面の上下２箇所の端部（図４、図５ではその上側を示す）に、例えば１本または複数本のねじ３４によって取付金具３２をそれぞれ取り付け、この各取付金具３２の先端部に軸３０をそれぞれ設け、この軸３０を各引出しレバー２０の軸穴２４にそれぞれ通すことによって、各引出しレバー２０の把持部２２がケース２外側に移動する開方向（図５中の矢印Ａ方向）およびその反対の閉方向に回動可能に各引出しレバー２０を取り付けている。このような引出しレバー２０と取付金具３２とが予め組まれている市販品を用いて、それを電子機器ユニット４に取り付けても良い。
【００２３】
ケース２は、この例では、その前面の周縁部に、外側に張り出したつば状の縁３を有している。
【００２４】
電子機器ユニット４は、この例では、その前面部に、表示器、可変抵抗器、スイッチ等の電子部品（図示省略）を搭載した基板５を有している。この基板５の支持部材の図示は省略している。
【００２５】
図４に示すように、この引出し形電子機器は、電子機器ユニット４をケース２内の所定位置（この例では、前記コネクタ１６、１８が互いに結合される位置）に差し込み、かつケース２に前面カバー１０を被せて固定ねじ１４で固定した状態（図１の状態）では、各引出しレバー２０はその把持部２２の重さによって自然に、または前面カバー１０によって、前記閉方向に回動しており、そしてこの例では各引出しレバー２０の把持部２２の先端および当接端２６の両者が前面カバー１０に近接し、それによって各引出しレバー２０の開方向の回動が阻止されると共に電子機器ユニット４の矢印Ｂ方向（図３、図５参照）への抜け出しが阻止される状態になる構造を有している。
【００２６】
上記の場合、各引出しレバー２０の把持部２２の先端および当接端２６は、前面カバー１０に当接していても良いし、小さな隙間があっても良く、要は近接しておれば良い。当接していれば、電子機器ユニット４の僅かな抜け出しもより確実に阻止することができる。また、この例のように各引出しレバー２０の把持部２２の先端および当接端２６の両者が前面カバー１０に近接している方が、電子機器ユニット４の僅かな抜け出しもより確実に阻止することができるのでより好ましいけれども、電子機器ユニット４の抜け出し阻止には、把持部２２の先端および当接端２６の少なくとも一方が前面カバー１０に近接していれば良い。
【００２７】
また、図５に示すように、この引出し形電子機器は、前面カバー１０を取り外した状態（図２の状態）では、各引出しレバー２０をその把持部２２を用いて（例えば指をかけて）矢印Ａに示す開方向に回動させて、各引出しレバー２０の当接端２６をケース２の縁３に当接させてその当接部（即ち、当接端２６と縁３との当接部）を支点にして電子機器ユニット４を矢印Ｂ方向に所定距離引き出すことができる（その引き出した状態を図５に示す）と共に、各引出しレバー２０の把持部２２を掴んで電子機器ユニット４を更に引き出すことができる状態になる構造を有している。図３中の電子機器ユニット４ａは、ケース２から完全に引き出された電子機器ユニットを示す。
【００２８】
なお、各引出しレバー２０の当接端２６を当接させるケース２の縁３は、上記例以外のもの、例えば、ケース２の内側に張り出したつば状のもの等でも良い。
【００２９】
上記引出し形電子機器によれば、電子機器ユニット４をケース２内の所定位置に差し込み、かつケース２に前面カバー１０を被せて固定ねじ１４で固定した状態では、各引出しレバー２０の把持部２２の先端および当接端２６が前面カバー１０に近接し、それによって各引出しレバー２０の開方向の回動が阻止されると共に電子機器ユニット４の抜け出しが阻止される状態になるので、振動等が加わっても、電子機器ユニット４がケース２から抜け出すことはない。従って、従来の固定ボタンや特殊なねじのような電子機器ユニット４の抜け出し防止用の部品を特に設けなくても、信頼性が高い。
【００３０】
一方、前面カバー１０を取り外した状態では、各引出しレバー２０を開方向に回動させることによって、各引出しレバー２０の当接端２６をケース２の縁３に当接させてその当接部を支点にして梃子の作用で電子機器ユニット４を所定距離引き出すことができると共に、各引出しレバー２０の把持部２２を掴んで電子機器ユニット４を更に引き出すことができるので、従来の引出しハンドルのようなものを特に設けなくても、電子機器ユニット４を容易に引き出すことができる。
【００３１】
即ち、各引出しレバー２０は、（１）電子機器ユニット４を引き出すときに梃子の作用をし、（２）かつ取っ手の作用もし、（３）更にケース２に前面カバー１０を被せて固定した状態では電子機器ユニット４の抜け出し防止の作用をし、各引出しレバー２０はこれら三つの作用を奏する。
【００３２】
従ってこの引出し形電子機器によれば、各引出しレバー２０を、電子機器ユニット４の引き出し用および電子機器ユニット４の抜け出し防止用に兼用していて、各引出しレバー２０は前記三つの作用を奏するので、部品点数が少なく簡単な構造で電子機器ユニット４のケース２に対する抜き差しが可能であり、かつその操作も容易である。また、構造の簡素化によってコストダウンも可能である。
【００３３】
しかも、必要時以外は、即ちケース２に前面カバー１０を被せて固定した通常使用状態では、電子機器ユニット４がケース２から抜け出すことはないので、信頼性も高い。
【００３４】
上記引出しレバー２０は、上記例のように、電子機器ユニット４の前面の上下２箇所の端部に設けるのが好ましいけれども、それ以外の場所や、３箇所以上に設けても良い。また、上記のような引出し形電子機器は、上記図示例のように縦配置で使用しても良いし、横配置で使用しても良い。
【００３５】
また、上記例は、一つのケース２内に電子機器ユニット４を１台収納した例であるけれども、それに限られるものではなく、一つのケース２内に上記のような引出しレバー２０をそれぞれ有する電子機器ユニット４を、２台、３台またはそれ以上収納しても良い。その場合、前面カバー１０は、通常は一つのケース２に対して１個取り付ける。前面カバー１０が大型になれば、その固定ねじ１４を複数本設けても良い。
【００３６】
また、電子機器ユニット４は、上記保護継電器ユニット以外のもの、例えば計測器ユニット、制御器ユニット等でも良い。その場合は、この引出し形電子機器は、より具体的には、引出し形計測器、引出し形制御器等と呼ばれる。
【図面の簡単な説明】
【００３７】
【図１】この発明に係る引出し形電子機器の一実施形態を示す外観図である。
【図２】図１に示す引出し形電子機器の前面カバーを取り外した状態を示す図である。
【図３】図１に示す引出し形電子機器の前面カバーを取り外し、かつ電子機器ユニットを抜き出した状態を示す図である。
【図４】図１のように前面カバーを被せた状態の引出しレバー付近（Ｐ部付近）を拡大して示す概略図である。
【図５】図３のように前面カバーを取り外し、かつ引出しレバーを開いた状態の引出しレバー付近（Ｐ部付近）を拡大して示す概略図である。
【図６】従来の引出し形電子機器の一例を示す外観図である。
【符号の説明】
【００３８】
２  ケース
３  縁
４  電子機器ユニット
１０  前面カバー
１４  固定ねじ
２０  引出しレバー
２２  把持部
２４  軸穴
２６  当接端
３０  軸
【図１】
2006165247.tif 000003
【図２】
2006165247.tif 000004
【図３】
2006165247.tif 000005
【図４】
2006165247.tif 000006
【図５】
2006165247.tif 000007
【図６】
2006165247.tif 000008